(57)【特許請求の範囲】
【請求項１】
無線通信のための方法であって、
送信されるべき少なくとも１つのシンボルを生成することと、
サービス提供されている移動局（ＭＳ）の周囲の近隣基地局の数Ｍに関する情報を取得することと、
選択されたフェーズ・パターンのセットからのフェーズ・パターンを用いて、Ｎ個の異なるフェーズを有するＮ個の周波数トーンで、前記少なくとも１つのシンボルを、Ｍ個の近隣基地局のおのおのから、１または複数のアンテナで送信することとを備え、
前記フェーズ・パターンのセットは、前記ＭＳにおける同一チャネル干渉（ＣＣＩ）のレベルに基づいて選択され、前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している方法。
【請求項２】
送信のために使用される各アンテナは、前記選択されたフェーズ・パターンのセットからのフェーズ・パターンを用いて、Ｎ個の異なるフェーズを有するＮ個の周波数トーンでシンボルを送信する請求項１に記載の方法。
【請求項３】
前記ＣＣＩのレベルが、前記予め定めたしきい値よりも大きいのであれば、各近隣基地局において、送信のために使用される１または複数のアンテナのすべてに対して同じフェーズ・パターンが適用される請求項２に記載の方法。
【請求項４】
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、前記予め定めたしきい値よりも小さい場合に、前記基地局において送信のために使用されるすべてのアンテナにわたって直交している請求項２に記載の方法。
【請求項５】
前記Ｎ個の周波数トーンは、Ｎ個の連続した周波数トーンを備える請求項１に記載の方法。
【請求項６】
前記生成された少なくとも１つのシンボルが、少なくとも１つのデータ・シンボルを備える請求項１に記載の方法。
【請求項７】
前記生成された少なくとも１つのシンボルが、少なくとも１つのパイロット・シンボルを備える請求項１に記載の方法。
【請求項８】
無線通信のための方法であって、
Ｍ個の近隣基地局から送信されたシンボルを、１または複数のアンテナで受信することと、
干渉を除去するために、および、サービス提供基地局の１または複数のアンテナから送信された１または複数のシンボルを復号するために、前記受信したシンボルを、空間的に処理することとを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）における同一チャネル干渉（ＣＣＩ）のレベルに基づいて選択され、
前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している方法。
【請求項９】
前記受信したシンボルを空間的に処理することは、前記ＣＣＩのレベルが、前記予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用することを備える請求項８に記載の方法。
【請求項１０】
前記受信したシンボルを空間的に処理することは、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用することを備える請求項８に記載の方法。
【請求項１１】
前記受信したシンボルを空間的に処理することは、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用することを備える請求項８に記載の方法。
【請求項１２】
前記Ｎ個の周波数トーンは、Ｎ個の連続した周波数トーンを備える請求項８に記載の方法。
【請求項１３】
無線通信のための装置であって、
送信されるべき少なくとも１つのシンボルを生成するためのロジックと、
サービス提供されている移動局（ＭＳ）の周囲の近隣基地局の数Ｍに関する情報を取得するためのロジックと、
選択されたフェーズ・パターンのセットからのフェーズ・パターンを用いて、Ｎ個の異なるフェーズを有するＮ個の周波数トーンで、前記少なくとも１つのシンボルを、Ｍ個の近隣基地局のおのおのから、１または複数のアンテナで送信するためのロジックとを備え、
前記フェーズ・パターンのセットは、前記ＭＳにおける同一チャネル干渉（ＣＣＩ）のレベルに基づいて選択され、前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している装置。
【請求項１４】
送信のために使用される各アンテナは、前記選択されたフェーズ・パターンのセットからのフェーズ・パターンを用いて、Ｎ個の異なるフェーズを有するＮ個の周波数トーンでシンボルを送信する請求項１３に記載の装置。
【請求項１５】
前記ＣＣＩのレベルが、前記予め定めたしきい値よりも大きいのであれば、各近隣基地局において、送信のために使用される１または複数のアンテナのすべてに対して同じフェーズ・パターンが適用される請求項１４に記載の装置。
【請求項１６】
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、前記予め定めたしきい値よりも小さい場合に、前記基地局において送信のために使用されるすべてのアンテナにわたって直交している請求項１４に記載の装置。
【請求項１７】
前記Ｎ個の周波数トーンは、Ｎ個の連続した周波数トーンを備える請求項１３に記載の装置。
【請求項１８】
前記生成された少なくとも１つのシンボルが、少なくとも１つのデータ・シンボルを備える請求項１３に記載の装置。
【請求項１９】
前記生成された少なくとも１つのシンボルが、少なくとも１つのパイロット・シンボルを備える請求項１３に記載の装置。
【請求項２０】
無線通信のための装置であって、
Ｍ個の近隣基地局から送信されたシンボルを、１または複数のアンテナで受信するためのロジックと、
干渉を除去するために、および、サービス提供基地局の１または複数のアンテナから送信された１または複数のシンボルを復号するために、前記受信したシンボルを、空間的に処理するためのロジックとを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）における同一チャネル干渉（ＣＣＩ）のレベルに基づいて選択され、
前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している装置。
【請求項２１】
前記受信したシンボルを空間的に処理するためのロジックは、ＣＣＩのレベルが、前記予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用するためのロジックを備える請求項２０に記載の装置。
【請求項２２】
前記受信したシンボルを空間的に処理するためのロジックは、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用するためのロジックを備える請求項２０に記載の装置。
【請求項２３】
前記受信したシンボルを空間的に処理するためのロジックは、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用するためのロジックを備える請求項２０に記載の装置。
【請求項２４】
前記Ｎ個の周波数トーンは、Ｎ個の連続した周波数トーンを備える請求項２０に記載の装置。
【請求項２５】
無線通信のための装置であって、
送信されるべき少なくとも１つのシンボルを生成する手段と、
サービス提供されている移動局（ＭＳ）の周囲の近隣基地局の数Ｍに関する情報を取得する手段と、
選択されたフェーズ・パターンのセットからのフェーズ・パターンを用いて、Ｎ個の異なるフェーズを有するＮ個の周波数トーンで、前記少なくとも１つのシンボルを、Ｍ個の近隣基地局のおのおのから、１または複数のアンテナで送信する手段とを備え、
前記フェーズ・パターンのセットは、前記ＭＳにおける同一チャネル干渉（ＣＣＩ）のレベルに基づいて選択され、前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している装置。
【請求項２６】
送信のために使用される各アンテナは、前記選択されたフェーズ・パターンのセットからのフェーズ・パターンを用いて、Ｎ個の異なるフェーズを有するＮ個の周波数トーンでシンボルを送信する請求項２５に記載の装置。
【請求項２７】
前記ＣＣＩのレベルが、前記予め定めたしきい値よりも大きいのであれば、各近隣基地局において、送信のために使用される１または複数のアンテナのすべてに対して同じフェーズ・パターンが適用される請求項２６に記載の装置。
【請求項２８】
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、前記予め定めたしきい値よりも小さい場合に、前記基地局において送信のために使用されるすべてのアンテナにわたって直交している請求項２６に記載の装置。
【請求項２９】
前記Ｎ個の周波数トーンは、Ｎ個の連続した周波数トーンを備える請求項２５に記載の装置。
【請求項３０】
前記生成された少なくとも１つのシンボルが、少なくとも１つのデータ・シンボルを備える請求項２５に記載の装置。
【請求項３１】
前記生成された少なくとも１つのシンボルが、少なくとも１つのパイロット・シンボルを備える請求項２５に記載の装置。
【請求項３２】
無線通信のための装置であって、
Ｍ個の近隣基地局から送信されたシンボルを、１または複数のアンテナで受信する手段と、
干渉を除去するために、および、サービス提供基地局の１または複数のアンテナから送信された１または複数のシンボルを復号するために、前記受信したシンボルを、空間的に処理する手段とを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）における同一チャネル干渉（ＣＣＩ）のレベルに基づいて選択され、
前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している装置。
【請求項３３】
前記受信したシンボルを空間的に処理する手段は、前記ＣＣＩのレベルが、前記予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用する手段を備える請求項３２に記載の装置。
【請求項３４】
前記受信したシンボルを空間的に処理する手段は、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用する手段を備える請求項３２に記載の装置。
【請求項３５】
前記受信したシンボルを空間的に処理する手段は、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用する手段を備える請求項３２に記載の装置。
【請求項３６】
前記Ｎ個の周波数トーンは、Ｎ個の連続した周波数トーンを備える請求項３２に記載の装置。
【請求項３７】
１または複数のプロセッサによって実行可能な、格納された命令群を記録するコンピュータ読取可能な記録媒体であって、
前記命令群は、
送信されるべき少なくとも１つのシンボルを生成するための命令群と、
サービス提供されている移動局（ＭＳ）の周囲の近隣基地局の数Ｍに関する情報を取得するための命令群と、
選択されたフェーズ・パターンのセットからのフェーズ・パターンを用いて、Ｎ個の異なるフェーズを有するＮ個の周波数トーンで、前記少なくとも１つのシンボルを、Ｍ個の近隣基地局のおのおのから、１または複数のアンテナで送信するための命令群とを備え、
前記フェーズ・パターンのセットは、前記ＭＳにおける同一チャネル干渉（ＣＣＩ）のレベルに基づいて選択され、前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している、コンピュータ読取可能な記録媒体。
【請求項３８】
送信のために使用される各アンテナは、前記選択されたフェーズ・パターンのセットからのフェーズ・パターンを用いて、Ｎ個の異なるフェーズを有するＮ個の周波数トーンでシンボルを送信する、請求項３７に記載のコンピュータ読取可能な記録媒体。
【請求項３９】
前記ＣＣＩのレベルが、前記予め定めたしきい値よりも大きいのであれば、各近隣基地局において、送信のために使用される１または複数のアンテナのすべてに対して同じフェーズ・パターンが適用される、請求項３８に記載のコンピュータ読取可能な記録媒体。
【請求項４０】
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、前記予め定めたしきい値よりも小さい場合に、前記基地局において送信のために使用されるすべてのアンテナにわたって直交している、請求項３８に記載のコンピュータ読取可能な記録媒体。
【請求項４１】
前記Ｎ個の周波数トーンは、Ｎ個の連続した周波数トーンを備える、請求項３７に記載のコンピュータ読取可能な記録媒体。
【請求項４２】
前記生成された少なくとも１つのシンボルが、少なくとも１つのデータ・シンボルを備える、請求項３７に記載のコンピュータ読取可能な記録媒体。
【請求項４３】
前記生成された少なくとも１つのシンボルが、少なくとも１つのパイロット・シンボルを備える、請求項３７に記載のコンピュータ読取可能な記録媒体。
【請求項４４】
１または複数のプロセッサによって実行可能な、格納された命令群を記録するコンピュータ読取可能な記録媒体であって、
前記命令群は、
Ｍ個の近隣基地局から送信されたシンボルを、１または複数のアンテナで受信するための命令群と、
干渉を除去するために、および、サービス提供基地局の１または複数のアンテナから送信された１または複数のシンボルを復号するために、前記受信したシンボルを、空間的に処理するための命令群とを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）における同一チャネル干渉（ＣＣＩ）のレベルに基づいて選択され、
前記ＣＣＩのレベルが、予め定めたしきい値よりも大きいのであれば、Ｎ＝Ｍであり、前記選択されたフェーズ・パターンのセットからのフェーズ・パターンは前記Ｍ個の近隣基地局にわたって直交している、コンピュータ読取可能な記録媒体。
【請求項４５】
前記受信したシンボルを空間的に処理するための命令群は、前記ＣＣＩのレベルが、前記予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用するための命令群を備える、請求項４４に記載のコンピュータ読取可能な記録媒体。
【請求項４６】
前記受信したシンボルを空間的に処理するための命令群は、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用するための命令群を備える、請求項４４に記載のコンピュータ読取可能な記録媒体。
【請求項４７】
前記受信したシンボルを空間的に処理するための命令群は、前記ＣＣＩのレベルが、前記予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用するための命令群を備える、請求項４４に記載のコンピュータ読取可能な記録媒体。
【請求項４８】
前記Ｎ個の周波数トーンは、Ｎ個の連続した周波数トーンを備える、請求項４４に記載のコンピュータ読取可能な記録媒体。
【発明の詳細な説明】
【優先権の主張】
【０００１】
本特許出願は、本特許出願の譲受人に譲渡され、すべての目的のために、参照によって本明細書に完全に組み込まれている「新たな空間−周波数変調を用いた同一チャネル干渉除去」（Co-channel interference cancellation with a new spatio-frequency modulation）と題された２００８年１２月３１日出願の米国仮特許出願６１／１４２，１５９号からの優先権の利益を要求する。
【技術分野】
【０００２】
本開示のある実施形態は、一般に、無線通信に関し、さらに詳しくは、移動局の周囲に位置する基地局から送信された信号の干渉除去のための方法に関する。
【発明の概要】
【０００３】
本開示のある実施形態は、無線通信のための方法を提供する。この方法は一般に、送信されるべきデータの少なくとも１つのシンボルを生成することと、サービス提供されている移動局（ＭＳ）の周囲の近隣基地局の数Ｍに関する情報を取得することと、Ｍ個の近隣基地局のおのおのから、１または複数のアンテナにおいて、選択されたフェーズ・パターンのセットからのフェーズ・パターンを用いて、Ｎ個の異なるフェーズを有するＮ個の周波数トーンで、少なくとも１つのシンボルを送信することとを含む。ここで、フェーズ・パターンのセットは、ＭＳにおいて同一チャネル干渉（ＣＣＩ）のレベルに基づいて選択される。
【０００４】
本開示の実施形態は、無線通信のための方法を提供する。この方法は一般に、１または複数の近隣基地局から送信されたシンボルを、１または複数のアンテナで受信することと、干渉を除去するために、および、サービス提供基地局の１または複数のアンテナから送信された１または複数のシンボルを復号するために、受信したシンボルを空間的に処理することとを含む。ここで、少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、フェーズ・パターンのセットは、移動局（ＭＳ）において同一チャネル干渉（ＣＣＩ）のレベルに基づいて選択される。
【０００５】
本開示の実施形態は、無線通信のための装置を提供する。この装置は一般に、送信されるべきデータの少なくとも１つのシンボルを生成するためのロジックと、サービス提供されている移動局（ＭＳ）の周囲の近隣基地局の数Ｍに関する情報を取得するためのロジックと、Ｍ個の近隣基地局のおのおのから、１または複数のアンテナにおいて、選択されたフェーズ・パターンのセットからのフェーズ・パターンを用いて、Ｎ個の異なるフェーズを有するＮ個の周波数トーンで、少なくとも１つのシンボルを送信するためのロジックとを含む。ここで、フェーズ・パターンのセットは、ＭＳにおいて同一チャネル干渉（ＣＣＩ）のレベルに基づいて選択される。
【０００６】
本開示のある実施形態は、無線通信のための装置を提供する。この装置は一般に、１または複数の近隣基地局から送信されたシンボルを、１または複数のアンテナで受信するためのロジックと、干渉を除去するために、および、サービス提供基地局の１または複数のアンテナから送信された１または複数のシンボルを復号するために、受信したシンボルを空間的に処理するためのロジックとを含む。ここで、少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、フェーズ・パターンのセットは、移動局（ＭＳ）において同一チャネル干渉（ＣＣＩ）のレベルに基づいて選択される。
【０００７】
本開示のある実施形態は、無線通信のための装置を提供する。この装置は一般に、送信されるべきデータの少なくとも１つのシンボルを生成する手段と、サービス提供されている移動局（ＭＳ）の周囲の近隣基地局の数Ｍに関する情報を取得する手段と、Ｍ個の近隣基地局のおのおのから、１または複数のアンテナにおいて、選択されたフェーズ・パターンのセットからのフェーズ・パターンを用いて、Ｎ個の異なるフェーズを有するＮ個の周波数トーンで、少なくとも１つのシンボルを送信する手段とを含む。ここで、フェーズ・パターンのセットは、ＭＳにおいて同一チャネル干渉（ＣＣＩ）のレベルに基づいて選択される。
【０００８】
本開示のある実施形態は、無線通信のための装置を提供する。この装置は一般に、１または複数の近隣基地局から送信されたシンボルを、１または複数のアンテナで受信する手段と、干渉を除去するために、および、サービス提供基地局の１または複数のアンテナから送信された１または複数のシンボルを復号するために、受信したシンボルを空間的に処理する手段とを含む。ここで、少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、フェーズ・パターンのセットは、移動局（ＭＳ）において同一チャネル干渉（ＣＣＩ）のレベルに基づいて選択される。
【０００９】
本開示のある実施形態は、１または複数のプロセッサによって実行可能な、格納された命令群を有するコンピュータ読取可能媒体を備える、無線通信のためのコンピュータ・プログラム製品を提供する。これら命令群は一般に、送信されるべきデータの少なくとも１つのシンボルを生成するための命令群と、サービス提供されている移動局（ＭＳ）の周囲の近隣基地局の数Ｍに関する情報を取得するための命令群と、Ｍ個の近隣基地局のおのおのから、１または複数のアンテナにおいて、選択されたフェーズ・パターンのセットからのフェーズ・パターンを用いて、Ｎ個の異なるフェーズを有するＮ個の周波数トーンで、少なくとも１つのシンボルを送信するための命令群とを含む。ここで、フェーズ・パターンのセットは、ＭＳにおいて同一チャネル干渉（ＣＣＩ）のレベルに基づいて選択される。
【００１０】
本開示のある実施形態は、１または複数のプロセッサによって実行可能な、格納された命令群を有するコンピュータ読取可能媒体を備える、無線通信のためのコンピュータ・プログラム製品を提供する。これら命令群は一般に、１または複数の近隣基地局から送信されたシンボルを、１または複数のアンテナで受信するための命令群と、干渉を除去するために、および、サービス提供基地局の１または複数のアンテナから送信された１または複数のシンボルを復号するために、受信したシンボルを空間的に処理するための命令群とを含む。ここで、少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、フェーズ・パターンのセットは、移動局（ＭＳ）において同一チャネル干渉（ＣＣＩ）のレベルに基づいて選択される。
【図面の簡単な説明】
【００１１】
本開示の上述された特徴が詳細に理解されるように、いくつかが添付図面で例示されているより具体的な記述や、上述された要約が、実施形態に対して参照によって示されうる。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態による、無線通信システムを例示する。
【図２】図２は、本開示のある種の実施形態による、無線デバイス内で利用できるさまざまな構成要素を例示する。
【図３】図３は、本開示のある実施形態にしたがって、無線通信システム内で使用されうる送信機の例および受信機の例を示す。
【図４】図４は、本開示のある実施形態にしたがう複数のセルの端部における移動局（ＭＳ）を例示する。
【図５】図５は、本開示のある実施形態にしたがって同一チャネル干渉（ＣＣＩ）を除去するための動作例を図示する。
【図５Ａ】図５Ａは、図５に図示された動作を実行することが可能な構成要素例を図示する。
【図６】図６は、本開示のある実施形態にしたがって、基地局（ＢＳ）における単一の送信アンテナのために異なるフェーズを持つシンボルの冗長ローディングを例示する。
【図７】図７は、本開示のある実施形態にしたがって、ＢＳにおける複数の送信アンテナのために異なるフェーズを持つ複数のシンボルの冗長ローディングを例示する。
【図８】図８は、本開示のある実施形態にしたがう、１つのサービス提供セルと１つの干渉元ＢＳとを備える無線通信システムの例を図示する。
【図９】図９は、本開示のある実施形態にしたがう、ＢＳにおける２つの送信アンテナの典型的な場合のための送信パターンを例示する。
【図１０】図１０は、本現在の開示のある実施形態にしたがって、５ｄＢの干渉対雑音比（ＩＮＲ）の別の伝送スキームのビット誤り率（ＢＥＲ）性能の例を示すグラフを例示する。
【図１１】図１１は、本開示のある実施形態にしたがって、１０ｄＢのＩＮＲの別の伝送スキームのＢＥＲ性能の例を示すグラフを例示する。
【図１２】図１２は、本開示のある実施形態にしたがって、システム内にＣＣＩがない場合、サービス提供ＢＳにおける２つの送信アンテナの典型的な場合の伝送パターンを例示する。
【図１３】図１３は、本開示のある実施形態にしたがって、システム内にＣＣＩがない場合における別の伝送スキームのＢＥＲ性能の例を示すグラフを例示する。
【発明を実施するための形態】
【００１２】
「典型的である」という単語は「例、事例、あるいは実例として役立つ」ことを意味するために本明細書で使用される。本明細書で「典型的である」と記載されたあらゆる実施形態は、他の実施形態によりも好適であるとか有利であるとか解釈される必要は必ずしもない。
【００１３】
移動局（ＭＳ）は、サービス提供基地局（ＢＳ）と１または複数の近隣基地局からの信号を同時に受信しうる。異なる基地局からの信号の干渉、すなわち、同一チャネル干渉（ＣＣＩ）によって、サービス提供ＢＳからの信号は、ＭＳにおいて適切に検出されないことがある。ＣＣＩは、無線ネットワークの周波数再使用ファクタを制限する直交周波数分割多元接続（ＯＦＤＭＡ）システムおよび直交周波数分割多重化（ＯＦＤＭ）システムにおいて特に厳しい。
【００１４】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１５】
直交多重化スキームに基づく通信システムの１つの具体的な例は、ＷｉＭＡＸシステムである。Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを示すＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば住宅および会社へのブロードバンド接続を可能にする。モバイルＷｉＭＡＸは、ブロードバンド速度でセルラ・ネットワークの完全なモビリティを提供する。
【００１６】
ＩＥＥＥ  ８０２．１６ｘは、固定式およびモバイルのブロードバンド無線アクセス（ＢＷＡ）システム用のエア・インタフェースを定義するための新生の規格体系である。これらの規格は、少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００１７】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、その代わりに、アクセスポイント、Ｎｏｄｅ  Ｂ、またはある他の用語で称されうる。
【００１８】
図１は、システム１００全体に散在するさまざまなユーザ端末１０６を示す。ユーザ端末１０６は、固定式（すなわち、据置式）または移動式でありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００１９】
さまざまなアルゴリズムおよび方法を、無線通信システム１００内で基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２０】
基地局１０４からユーザ端末１０６への送信を容易にする通信リンクは、ダウンリンク（ＤＬ）１０８と称され、ユーザ端末１０６から基地局１０４への送信を容易にする通信リンクは、アップリンク（ＵＬ）１１０と称されうる。あるいは、ダウンリンク１０８を、順方向リンクまたは順方向チャネルと称したり、アップリンク１１０を、逆方向リンクまたは逆方向チャネルと称する場合がある。
【００２１】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２２】
図２に、無線通信システム１００内で使用できる無線デバイス２０２内で利用できるさまざまな構成要素を示す。無線デバイス２０２は、本明細書で説明されるさまざまな方法を実施するために構成され得るデバイスの例である。無線デバイス２０２は、基地局１０４またはユーザ端末１０６でありうる。
【００２３】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２４】
無線デバイス２０２は、無線デバイス２０２と遠隔位置との間でのデータの送信および受信を可能にする送信機２１０および受信機２１２を含むことができるハウジング２０８をも含みうる。送信機２１０および受信機２１２を、トランシーバ２１４に組み合わせることができる。単一あるいは複数の送信アンテナ２１６が、ハウジング２０８に接続され、トランシーバ２１４に電気的に接続されている。無線デバイス２０２はまた、（図示しない）複数の送信機、複数の受信機、および複数のトランシーバを含みうる。
【００２５】
無線デバイス２０２は、トランシーバ２１４によって受信された信号を検出し、そのレベルを定量化する目的で使用される信号検出器２１８をも含むことができる。
【００２６】
信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含むことができる。
【００２７】
無線デバイス２０２のさまざまな構成要素を、データ・バスのみならず電力バス、制御信号バス、およびステータス信号バスを含むことができるバス・システム２２２によって、ともに結合することができる。
【００２８】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００２９】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３０】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３１】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域内の１つのＯＦＤＭシンボル、ＮＳは、ＮＣＰ（ＯＦＤＭシンボル毎のサイクリック・プレフィクス（ＣＰ）サンプルの数）＋Ｎ（ＯＦＤＭシンボル毎の利用可能なサンプルの数）に等しい。
【００３２】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。サイクリック・プレフィクス挿入構成要素３２６は、ＯＦＤＭ／ＯＦＤＭＡシンボル・ストリーム３２２の連続するＯＦＤＭ／ＯＦＤＭＡシンボルの間にＣＰを挿入しうる。ＣＰ挿入構成要素３２６からの信号はその後、デマルチプレクサ３４０に入力され、複数の送信アンテナ（あるいは、等価的に、空間サブチャネル）のために異なるデータ・ストリームを生成しうる。その後、各アンテナのベースバンド・データ・ストリームが、ラジオ周波数（ＲＦ）フロント・エンド３２８によって所望の送信周波数帯域へアップコンバートされ、その後、結果として得られた信号３３２を、アンテナ・アレイ３３０が、複数の空間サブチャネル３３４を介して送信しうる。
【００３３】
図３には、ＯＦＤＭ／ＯＦＤＭＡを利用する無線デバイス２０２内で使用できる受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３４】
送信された信号３３２は、複数の空間サブチャネル３３４にわたって移動することが示される。信号３３２’がアンテナ・アレイ３３０’によって受信されると、受信された信号３３２’は、ＲＦフロント・エンド３２８’によってベースバンド信号へダウンコンバートされ、マルチプレクサ３４０’によって、単一のストリームへ変換されうる。その後、ＣＰ除去構成要素３２６’が、ＣＰ挿入構成要素３２６によってＯＦＤＭ／ＯＦＤＭＡシンボル間に挿入されたＣＰを除去しうる。
【００３５】
ＣＰ除去構成要素’３２６の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３６】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。要素３０８’、３１０’、３１２’３１６’、３２０’、３１８’および３２４’はすべて、ベースバンド・プロセッサ３５０’で発見されうる。
【００３７】
図１からの移動局（ＭＳ）１０６は、対応するサービス提供基地局１０４、および、近隣セル１０２からの１または複数の基地局１０４からの信号を同時に受信しうる。異なる基地局からの信号の干渉、すなわち、同一チャネル干渉（ＣＣＩ）によって、サービス提供ＢＳ１０４からの信号は、ＭＳ１０６において適切に検出されないことがある。ＣＣＩは、強いＣＣＩが無線ネットワークの周波数再使用ファクタを制限するＯＦＤＭＡシステムおよび直交周波数分割多重化ＯＦＤＭシステムにおいて特に厳しい。
【００３８】
（典型的な同一チャネル干渉除去）  
本開示のある実施形態は、サービス提供ＢＳを含む各近隣ＢＳによって利用される空間送信パターンを設計することによって、ＣＣＩの緩和に役立ちうる。サービス提供されるＭＳは、所望する信号を、干渉信号と区別しうる。これは、無線ネットワークの周波数再使用ファクタをより高くすることになる。
【００３９】
本開示のある実施形態は、サービス提供されるＢＳの周囲の近隣セルからのＣＣＩを緩和するＯＦＤＭ／ＯＦＤＭＡシステムのための空間−周波数変調（ＳＦＮ）スキームを提供する。データ・シンボルが、異なるフェーズの周波数領域に冗長的にロードされうる。ＭＳは、適切なビームフォーミングの実行、および、所望の信号の復号のために、フェーズ情報を利用しうる。干渉元のセルからのフェーズ情報は、所望の（サービス提供している）セルのものとは異なるように設計されているので、この処理の間、ＣＣＩは緩和されうる。
【００４０】
従来のＯＦＤＭシステムと比べて、本明細書で提案された空間−周波数パターンは、特に、干渉元の基地局からの干渉が強い場合、ＭＳにおける誤り率性能を改善しうる。追加の空間領域によってデータ・レートを高めるために、ネットワーク内の各ＢＳおよびＭＳにおいて、複数の送信アンテナが使用されうる。
【００４１】
提案されたアプローチは、図４に例示する場合のように、複数のセルの端部において特に効果的となりうる。ＭＳ４１０は、近隣基地局４１４、４１６から発せられる強いＣＣＩが存在する中で、サービス提供ＢＳ４１２と通信しうる。近隣セルからのＣＣＩを緩和することによって、提案された技術は、ネットワーク４００の周波数再使用ファクタを増加させうる。
【００４２】
（典型的な同一チャネル干渉除去アルゴリズム）  
図５は、本開示のある実施形態にしたがって、サービス提供されているＭＳにおけるＣＣＩを除去するための典型的な動作５００を例示する。動作５１０−５３０は、サービス提供基地局（ＢＳ）をも含むＭ個の近隣基地局のグループによって並行して実行される一方、動作５４０、５５０は、サービス提供されているＭＳによって実行されうる。
【００４３】
５１０では、送信されるべき１または複数のシンボルが、サービス提供ＢＳによって生成されうる。５２０では、サービス提供されたＭＳの周囲に位置する近隣基地局の数に関する情報（サービス提供ＢＳをも備える近隣基地局の数Ｍ）が取得されうる。５３０では、生成された各シンボルは、Ｍ個の近隣基地局すべてにわたって、直交フェーズ・パターンを用いて、Ｍ個の異なるフェーズで、Ｍ回、冗長的に送信されうる。
【００４４】
各近隣基地局から冗長的に送信されたシンボルは、５４０において、Ｍ個の近隣基地局すべてから、ＭＳにおいて受信されうる。５５０では、干渉シンボルを除去するため、および、サービス提供ＢＳから送信された所望のシンボルを復号するために、受信されたシンボルが空間的に処理される。
【００４５】
ＣＣＩを緩和するために提案された方法に関する詳細が、サービス提供されるＭＳが１つの受信アンテナを用い、（サービス提供ＢＳを含む）各近隣ＢＳが１つの送信アンテナを用いる単一アンテナ・システムの典型的な場合について提供される。各近隣ＢＳから送信されるべきすべてのシンボルは、Ｍ個の異なるフェーズを持つＭ個の周波数トーン（サブキャリア）にわたってＭ回冗長的にロードされうる。ここで、利用されるＭ個の周波数トーンは、連続的な周波数トーンでありうる。これは、伝送シーケンス６１０を用いて図６に例示される。ここでＳは、任意のＢＳから、サービス提供されるＭＳへ送信されるべきシンボルを表す。このアプローチは、Ｍ個の近隣基地局からの同時送信によってもたらされるＣＣＩを十分に除去するために、および、ＭＳ側において、所望される送信信号を正確に復号するために必要とされるＭ個の自由度を提供することが観察される。
【００４６】
異なる基地局は、異なるセットのフェーズ・パターンを使用しなければならない。異なる基地局のフェーズ・パターンが、互いに直交している場合、ＣＣＩは、ＭＳにおいて完全に除去されうる。近隣基地局ＢＳ０、ＢＳ１による典型的な場合、以下のフェーズ・パターンが適用されうる。  
【数１】
0005280548.tif 000002
【００４７】
式（１）および式（２）によって与えられるフェーズ・パターンは、互いに直交するセットを形成するので、ＭＳは、受信シンボルに対してビーム・フォーマ（フェーズ・パターン）[１  １]を適用することによって、ＢＳ１から干渉信号を完全に除去する。同様に、ＢＳ１から送信されたデータを復号するために、受信シンボルに対してフェーズ・パターン［１  −１］が適用されねばならない。このアプローチは、ＭＳが、２つの異なるフェーズで同じシンボルを同時に受信するために、２つの物理受信アンテナを使用する場合と類似している。唯一の相違点は、提案されたスキームの新たな自由度は、空間領域に由来するのではなく、周波数空間に由来することである。したがって、１つの物理アンテナのみが利用される場合であっても、ＭＳにおいて２つの仮想アンテナが存在すると仮定されうる。
【００４８】
ＣＣＩを除去するためのこのアプローチは、サービス提供されるＭＳの周囲の近隣基地局ＢＳ０、ＢＳ１、ＢＳ２の場合に拡張されうる。以下の直交フェーズ・セットが適用されうる。  
【数２】
0005280548.tif 000003
【００４９】
式（３）−（５）によって得られるフェーズ・パターンは、互いに直交するセットを形成するので、ＢＳ１およびＢＳ２からの干渉信号は、ＭＳにおいて、受信されたシンボルに対してフェーズ・パターン［１  １  １］を適用することによって完全に除去されうる。一方、ＢＳ０およびＢＳ２からの干渉信号は、フェーズ・パターン  
【数３】
0005280548.tif 000004
【００５０】
が適用された場合に除去されうる。
【００５１】
Ｍ個の近隣基地局からなる一般的な場合、以下のような直交フェーズ・パターンのセットが利用されうる。  
【数４】
0005280548.tif 000005
【００５２】
ここで、ｋ＝０，１，・・・，Ｍ−１である。フェーズ・パターンのこの特定のセットでは、任意のｋ番目の基地局（ｋ＝０，１，・・・，Ｍ−１）から送信された信号を検出するために、ＭＳにおいて適用されるビーム・フォーマが、  
【数５】
0005280548.tif 000006
【００５３】
でありうる。
【００５４】
式（６）−（９）によって与えられたフェーズ・パターンのセットは、１つの可能な解決策であり、サービス提供されているＭＳの周囲のＭ個の近隣基地局の場合における唯一の直交セットではないことが注目されうる。
【００５５】
提案されたＣＣＩ除去スキームの機能は、送信の冗長特性によって、送信データ・レート低減を犠牲にしうる。Ｍ個の近隣基地局の場合、各基地局から、Ｍ個の異なるフェーズで、１つのシンボルがＭ回、冗長的に送信される必要がある。これは、データ・レートをＭ倍低下させる。提案されたＣＣＩ除去技術を適用しながら、データ・レートを増加させるために、各基地局およびサービス提供されるＭＳにおいて、複数のアンテナが適用されうる。
【００５６】
提案されたＣＣＩ除去スキームの複数入力複数出力（ＭＩＭＯ）システムへの拡張が、図７に例示されている。シーケンス７１０は、ＭＳの周囲の複数のＭ個の近隣基地局からの基地局のアンテナ１から送信されうる。さらに、シーケンス７１２は、基地局のアンテナ２から送信され、シーケンス７１４は、基地局のアンテナＭＴから送信されうる。図７からは、同じ基地局におけるすべての送信アンテナによって、同じフェーズ・パターンが利用されうることも観察されうる。Ｍ個の近隣基地局のうちの各基地局は、異なる空間−周波数パターンを利用しうる。
【００５７】
（複数の送信アンテナおよび／または受信アンテナを用いた、同一チャネル干渉による典型的な空間−周波数送信および受信）  
本開示のある実施形態は、１またはすべての近隣ＢＳにおいて２つのアンテナを有する、および／または、サービス提供されているＭＳにおいて２つのアンテナを有する、無線ネットワークに関連する。空間−周波数変調（ＳＦＭ）に基づく信号送信および受信のために記載されるべきスキームは、ＭＴ＞２の場合、各近隣ＢＳにおいてＭＴ個のアンテナからなる一般的な場合に拡張されうる。
【００５８】
図８は、２つの近隣基地局８１０、８１４とサービス提供されるＢＳ８１２とを備えた典型的な無線システムを例示する。ネットワーク内の各通信エンティティは、２つの送信アンテナを利用しうる。ＢＳ８１０は、サービス提供ＢＳである一方、ＢＳ８１４は、ＭＳ８１２におってＣＣＩを引き起こす干渉元ＢＳであることが注目されうる。サイズ２×２からなるチャネル行列Ｈは、サービス提供ＢＳ８１０とサービス提供されるＭＳ８１２とのアンテナ間のチャネルの複素ゲインを備えうる。同様に、サイズ２×２からなるチャネル行列Ｈｉｎｔは、干渉元ＢＳ８１４とサービス提供されるＭＳ８１２とのアンテナ間のチャネルの複素ゲインを備えうる。
【００５９】
隣接する周波数トーン（サブキャリア）におけるチャネル・ゲインは同じであると仮定されうる。これは、良好に設計されたＯＦＤＭシステムにおける有効な前提となる。それに加えて、すべての近隣基地局からの受信信号は、時間同期されることが仮定されうる。基地局は、ＷｉＭＡＸネットワークのバックボーンで同期化されうるので、これもまた、有効な前提となりうる。
【００６０】
図９は、図８に示された典型的な場合について新たに提案されたＳＦＭパターンを例示しており、ここで、ｆ（ｋ）は、ＯＦＤＭシンボルのｋ番目の周波数トーン（サブキャリア）を表しうる。言い換えれば、基地局は、アンテナ１のｋ番目の周波数トーンへ、データ・シンボルＳ１をロードし、データ・シンボルＳ２は、アンテナ２のｋ番目の周波数トーンへロードされうる。
【００６１】
理想的には、図９に示されるパラメータは、フェーズ・パターンの直交セットを形成できるように選択されうる。したがって、２つの隣接する基地局がある場合、一方の基地局がθ＝０を利用し、他方の基地局がθ＝πを利用しうる。しかしながら、一般性を失うことなく、図８のサービス提供基地局８１０のためにθ＝０が利用され、干渉元の基地局８１４について、ある値のθが利用されうることが仮定されうる。その後、サービス提供されているＭＳ８１２において、ｋ番目と（ｋ＋１）番目との周波数トーンの受信信号は、  
【数６】
0005280548.tif 000007
【００６２】
と表される。ここで、  
【数７】
0005280548.tif 000008
【００６３】
であり、Ｓ１およびＳ２は、サービス提供基地局８１０から送信されたシンボルを表し、Ｓｉ１およびＳｉ２は、干渉元基地局８１４からの干渉シンボルを表しうる。
【００６４】
サービス提供ＢＳから送信されたシンボルを正確に復号するために、サービス提供されるＭＳはまず、２つの受信アンテナおよび２つの周波数トーンからなる４次元空間の雑音及び干渉推定を実行しうる。このＭＳは、その後、計算された相関行列で、雑音ホワイトニングを実行しうる。本開示の１つの実施形態では、ＭＳは、受信シンボルに対して、線形最小平均平方誤り（ＬＭＭＳＥ）復号を実行しうる。本開示の別の実施形態では、ＭＳは、サービス提供ＢＳから送信された所望の信号を抽出するために、最小分散無歪み応答（ＭＶＤＲ）復号を実行しうる。ＭＶＤＲアルゴリズムは、所望の方向において、無歪み制約による干渉の電力を抑える。復号後、ＭＳは、サービス提供ＢＳから送信されたシンボルＳ１およびＳ２を推定しうる。
【００６５】
ＣＣＩが強い場合（すなわち、予め定義されたしきい値よりも大きい場合）、雑音ホワイトニングとＬＭＭＳＥ（またはＭＶＤＲ）復号とが結合された処理は、干渉項のみを除去することに集中する傾向にある。つまり、［１  ｅ−ｊθ］のビーム・フォーマ（フェーズ・パターン）が、受信信号Ｙｋ、Ｙｋ＋１に適用され、ＣＣＩが除去される。パラメータθはＭＳに既に知られているかもしれないので、雑音ホワイトニングとＬＭＭＳＥ（またはＭＶＤＲ）復号とが結合された処理は、非常に単純化されうる。
【００６６】
図１０−図１１は、５ｄＢおよび１０ｄＢの干渉対雑音比（ＩＮＲ）のための異なる伝送スキームのビット誤り率（ＢＥＲ）性能の例を示すグラフを例示する。プロット１０１０、１１１０で表された新たに提案されたＳＦＭスキームは、極めて強いＣＣＩに対してほとんど影響を受けないことが注目されうる。一方、プロット１０４０、１１４０で表される従来のＯＦＤＭシステムは、ＣＣＩが存在する場合に、大きな損失を被る。システム内にＣＣＩが存在しない場合、ＣＣＩ除去機能を持つ提案されたＳＦＭスキームと、従来のＯＦＤＭとの両方（すなわち、図１０におけるプロット１０２０、１０３０と、図１１におけるプロット１１２０、１１３０とのそれぞれ）が、同じ性能を提供しうる。
【００６７】
ＭＳ側の完全なチャネル推定は、図１０および図１１に例示された、シミュレートされたすべての場合について仮定されうる。しかしながら、実際には、従来の単一入力単一出力（ＳＩＳＯ）システムにおけるチャネル推定品質は、強いＣＣＩの存在下で相当低下しうる。これは一般に、ＳＦＭスキームが適用されている場合には生じないので、提案された２×２ＳＦＭスキーム（すなわち、プロット１０１０、１１１０）と、従来の１×１ＯＦＤＭ技術（すなわち、プロット１０４０、１１４０）との間のギャップは、チャネルがＭＳにおいて推定された場合にさらに大きくなりうる。
【００６８】
（同一チャネル干渉のない典型的な空間−周波数送信および受信）  
本開示のある実施形態は、サービス提供ＢＳの別のアンテナから同時に送信された信号間の干渉を緩和するための送信スキームおよび受信スキームに関する。システム内にＣＣＩが存在しないこと、あるいは、近隣の干渉元基地局によってもたらされるＣＣＩが弱く、予め定めたしきい値未満であることが仮定されうる。この場合、提案されたＳＦＭ構造は、近隣ＢＳからの干渉を除去する代わりに、サービス提供ＢＳから送信された所望の信号の復号を改善するために使用されうる。
【００６９】
図１２は、サービス提供ＢＳにおいて、２つの送信アンテナからなる典型的な場合の、提案された空間−周波数変調（ＳＦＭ）送信パターンを例示する。パラメータθ１は、ゼロに設定される一方、θ２は、πである。したがって、同じ基地局に搭載された異なるアンテナからのストリームを区別するために、フェーズ差が利用されうる。しかしながら、これは、システム内にＣＣＩがない場合、あるいは、ＣＣＩが弱く、予め定めたしきい値未満である場合にのみ可能となる。異なるフェーズのシンボルは、サービス提供ＢＳの各送信アンテナから、連続した周波数トーンで送信されうる。
【００７０】
サービス提供ＢＳにおける２つの送信アンテナの典型的な場合、ｋ番目および（ｋ＋１）番目の周波数トーンについてサービス提供されているＭＳにおける受信信号は、  
【数８】
0005280548.tif 000009
【数９】
0005280548.tif 000010
【００７１】
のように表される。ここで、  
【数１０】
0005280548.tif 000011
【００７２】
であり、θ１＝０およびθ２＝πである場合、Ｓ１およびＳ２は、サービス提供基地局の第１の送信アンテナおよび第２の送信アンテナのそれぞれから送信されたシンボルを表しうる。
【００７３】
送信されたシンボルＳ１を復号するために、フェーズ・パターン  
【数１１】
0005280548.tif 000012
【００７４】
を持つ互いに直交する  
【数１２】
0005280548.tif 000013
【００７５】
のビーム・フォーマ（フェーズ・パターン）が、受信信号Ｙｋ、Ｙｋ＋１に適用され、サービス提供ＢＳの第２の送信アンテナからの干渉信号が除去される。一方、送信されたシンボルＳ２を復号するために、フェーズ・パターン  
【数１３】
0005280548.tif 000014
【００７６】
を持つ互いに直交する  
【数１４】
0005280548.tif 000015
【００７７】
のビーム・フォーマ（フェーズ・パターン）が、受信信号Ｙｋ、Ｙｋ＋１に適用され、サービス提供ＢＳの第１の送信アンテナからの干渉信号が除去される。
【００７８】
このアプローチを適用することによって、同じサービス提供基地局の２つのアンテナから送信された２つのストリーム間の干渉が効率的に緩和されうる。図１３は、システム内にＣＣＩがない場合、異なる送信スキームのＢＥＲ性能の例のグラフを例示する。図１２に例示され、プロット１３１０を用いて表される提案されたＳＦＭスキームは、プロット１３２０用いて表される従来のＳＩＳＯ  ＯＦＤＭシステムよりも著しく優れていることが観察されうる。
【００７９】
ＣＣＩは、（例えば、媒体アクセス・レイヤ（ＭＡＣ）のような）高次レイヤでモニタされ、その後、サービス提供されている移動局およびその他のすべての近隣基地局へ、無線ネットワークのバックボーンによってシグナルされうる。その後、検出されたＣＣＩのレベルにしたがって、適切なＳＦＭ伝送アプローチが、各近隣基地局において適用されうる。提案されたＳＦＭ伝送スキームは、データ・チャネルに制限されるのみならず、例えばパイロット・チャネルおよび制御チャネルのようなその他任意のチャネル・タイプのためにも利用されうる。
【００８０】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図５に例示されるブロック５１０−５５０は、図５Ａに例示されるｍｅａｎｓ−ｐｌｕｓ−ｆｕｎｃｉｔｏｎブロックに対応する。より一般的には、対応するｍｅａｎｓ−ｐｌｕｓ−ｆｕｎｃｉｔｏｎブロック図を有する図面に例示された方法がある場合、動作ブロックは、同様に付番されたｍｅａｎｓ−ｐｌｕｓ−ｆｕｎｃｉｔｏｎブロックに対応する。
【００８１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００８２】
本開示に関連して記載される方法またはアルゴリズムのステップは、ハードウェアで直接的に、プロセッサによって実行されるソフトウェア・モジュールで、あるいは、これらの組み合わせで具体化されうる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８４】
記述された機能は、ハードウェア、ソフトウェア、ファームウェア、またはこれらの任意の組み合わせで実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８７】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に、本願出願の当初の特許請求の範囲に記載された発明を付記する。
［Ｃ１］
無線通信のための方法であって、
送信されるべきデータの少なくとも１つのシンボルを生成することと、
サービス提供されている移動局（ＭＳ）の周囲の近隣基地局の数Ｍに関する情報を取得することと、
選択されたフェーズ・パターンのセットからのフェーズ・パターンを用いて、Ｎ個の異なるフェーズを有するＮ個の周波数トーンで、少なくとも１つのシンボルを、Ｍ個の近隣基地局のおのおのから、１または複数のアンテナで送信することとを備え、
前記フェーズ・パターンのセットは、前記ＭＳにおいて同一チャネル干渉（ＣＣＩ）のレベルに基づいて選択される方法。
［Ｃ２］
送信のために使用される各アンテナは、前記選択されたフェーズ・パターンのセットからのフェーズ・パターンを用いて、Ｎ個の異なるフェーズを有するＮ個の周波数トーンでシンボルを送信するＣ１に記載の方法。
［Ｃ３］
各近隣基地局において、送信のために使用される１または複数のアンテナのすべてに対して同じフェーズ・パターンが適用され、Ｎ＝Ｍである場合、前記ＣＣＩのレベルが、予め定めたしきい値よりも大きいのであれば、前記選択されたフェーズ・パターンのセットからのフェーズ・パターンは、前記Ｍ個の近隣基地局にわたって直交しているＣ２に記載の方法。
［Ｃ４］
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、予め定めたしきい値よりも小さい場合に、前記基地局において送信のために使用されるすべてのアンテナにわたって直交しているＣ２に記載の方法。
［Ｃ５］
Ｎ個の周波数トーンは、Ｎ個の連続した周波数トーンを備えるＣ１に記載の方法。
［Ｃ６］
生成された１または複数のシンボルが、データ・シンボルであるＣ１に記載の方法。
［Ｃ７］
生成された１または複数のシンボルが、パイロット・シンボルであるＣ１に記載の方法。
［Ｃ８］
無線通信のための方法であって、
１または複数の近隣基地局から送信されたシンボルを、１または複数のアンテナで受信することと、
干渉を除去するために、および、サービス提供基地局の１または複数のアンテナから送信された１または複数のシンボルを復号するために、前記受信したシンボルを、空間的に処理することとを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）において同一チャネル干渉（ＣＣＩ）のレベルに基づいて選択される方法。
［Ｃ９］
前記受信したシンボルを空間的に処理することは、ＣＣＩのレベルが、予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用することを備えるＣ８に記載の方法。
［Ｃ１０］
前記受信したシンボルを空間的に処理することは、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用することを備えるＣ８に記載の方法。
［Ｃ１１］
前記受信したシンボルを空間的に処理することは、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用することを備えるＣ８に記載の方法。
［Ｃ１２］
Ｎ個の周波数トーンは、Ｎ個の連続した周波数トーンを備えるＣ８に記載の方法。
［Ｃ１３］
無線通信のための装置であって、
送信されるべきデータの少なくとも１つのシンボルを生成するためのロジックと、
サービス提供されている移動局（ＭＳ）の周囲の近隣基地局の数Ｍに関する情報を取得するためのロジックと、
選択されたフェーズ・パターンのセットからのフェーズ・パターンを用いて、Ｎ個の異なるフェーズを有するＮ個の周波数トーンで、少なくとも１つのシンボルを、Ｍ個の近隣基地局のおのおのから、１または複数のアンテナで送信するためのロジックとを備え、
前記フェーズ・パターンのセットは、前記ＭＳにおいて同一チャネル干渉（ＣＣＩ）のレベルに基づいて選択される装置。
［Ｃ１４］
送信のために使用される各アンテナは、前記選択されたフェーズ・パターンのセットからのフェーズ・パターンを用いて、Ｎ個の異なるフェーズを有するＮ個の周波数トーンでシンボルを送信するＣ１３に記載の装置。
［Ｃ１５］
各近隣基地局において、送信のために使用される１または複数のアンテナのすべてに対して同じフェーズ・パターンが適用され、Ｎ＝Ｍである場合、前記ＣＣＩのレベルが、予め定めたしきい値よりも大きいのであれば、前記選択されたフェーズ・パターンのセットからのフェーズ・パターンは、前記Ｍ個の近隣基地局にわたって直交しているＣ１４に記載の装置。
［Ｃ１６］
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、予め定めたしきい値よりも小さい場合に、前記基地局において送信のために使用されるすべてのアンテナにわたって直交しているＣ１４に記載の装置。
［Ｃ１７］
Ｎ個の周波数トーンは、Ｎ個の連続した周波数トーンを備えるＣ１３に記載の装置。
［Ｃ１８］
生成された１または複数のシンボルが、データ・シンボルであるＣ１３に記載の装置。
［Ｃ１９］
生成された１または複数のシンボルが、パイロット・シンボルであるＣ１３に記載の装置。
［Ｃ２０］
無線通信のための装置であって、
１または複数の近隣基地局から送信されたシンボルを、１または複数のアンテナで受信するためのロジックと、
干渉を除去するために、および、サービス提供基地局の１または複数のアンテナから送信された１または複数のシンボルを復号するために、前記受信したシンボルを、空間的に処理するためのロジックとを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）において同一チャネル干渉（ＣＣＩ）のレベルに基づいて選択される装置。
［Ｃ２１］
前記受信したシンボルを空間的に処理するためのロジックは、ＣＣＩのレベルが、予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用するためのロジックを備えるＣ２０に記載の装置。
［Ｃ２２］
前記受信したシンボルを空間的に処理するためのロジックは、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用するためのロジックを備えるＣ２０に記載の装置。
［Ｃ２３］
前記受信したシンボルを空間的に処理するためのロジックは、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用するためのロジックを備えるＣ２０に記載の装置。
［Ｃ２４］
Ｎ個の周波数トーンは、Ｎ個の連続した周波数トーンを備えるＣ２０に記載の装置。
［Ｃ２５］
無線通信のための装置であって、
送信されるべきデータの少なくとも１つのシンボルを生成する手段と、
サービス提供されている移動局（ＭＳ）の周囲の近隣基地局の数Ｍに関する情報を取得する手段と、
選択されたフェーズ・パターンのセットからのフェーズ・パターンを用いて、Ｎ個の異なるフェーズを有するＮ個の周波数トーンで、少なくとも１つのシンボルを、Ｍ個の近隣基地局のおのおのから、１または複数のアンテナで送信する手段とを備え、
前記フェーズ・パターンのセットは、前記ＭＳにおいて同一チャネル干渉（ＣＣＩ）のレベルに基づいて選択される装置。
［Ｃ２６］
送信のために使用される各アンテナは、前記選択されたフェーズ・パターンのセットからのフェーズ・パターンを用いて、Ｎ個の異なるフェーズを有するＮ個の周波数トーンでシンボルを送信するＣ２５に記載の装置。
［Ｃ２７］
各近隣基地局において、送信のために使用される１または複数のアンテナのすべてに対して同じフェーズ・パターンが適用され、Ｎ＝Ｍである場合、前記ＣＣＩのレベルが、予め定めたしきい値よりも大きいのであれば、前記選択されたフェーズ・パターンのセットからのフェーズ・パターンは、前記Ｍ個の近隣基地局にわたって直交しているＣ２６に記載の装置。
［Ｃ２８］
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、予め定めたしきい値よりも小さい場合に、前記基地局において送信のために使用されるすべてのアンテナにわたって直交しているＣ２６に記載の装置。
［Ｃ２９］
Ｎ個の周波数トーンは、Ｎ個の連続した周波数トーンを備えるＣ２５に記載の装置。
［Ｃ３０］
生成された１または複数のシンボルが、データ・シンボルであるＣ２５に記載の装置。
［Ｃ３１］
生成された１または複数のシンボルが、パイロット・シンボルであるＣ２５に記載の装置。
［Ｃ３２］
無線通信のための装置であって、
１または複数の近隣基地局から送信されたシンボルを、１または複数のアンテナで受信する手段と、
干渉を除去するために、および、サービス提供基地局の１または複数のアンテナから送信された１または複数のシンボルを復号するために、前記受信したシンボルを、空間的に処理する手段とを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）において同一チャネル干渉（ＣＣＩ）のレベルに基づいて選択される装置。
［Ｃ３３］
前記受信したシンボルを空間的に処理する手段は、ＣＣＩのレベルが、予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用する手段を備えるＣ３２に記載の装置。
［Ｃ３４］
前記受信したシンボルを空間的に処理する手段は、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用する手段を備えるＣ３２に記載の装置。
［Ｃ３５］
前記受信したシンボルを空間的に処理する手段は、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用する手段を備えるＣ３２に記載の装置。
［Ｃ３６］
Ｎ個の周波数トーンは、Ｎ個の連続した周波数トーンを備えるＣ３２に記載の装置。
［Ｃ３７］
１または複数のプロセッサによって実行可能な、格納された命令群を有するコンピュータ読取可能媒体を備える、無線通信のためのコンピュータ・プログラム製品であって、
前記命令群は、
送信されるべきデータの少なくとも１つのシンボルを生成するための命令群と、
サービス提供されている移動局（ＭＳ）の周囲の近隣基地局の数Ｍに関する情報を取得するための命令群と、
選択されたフェーズ・パターンのセットからのフェーズ・パターンを用いて、Ｎ個の異なるフェーズを有するＮ個の周波数トーンで、少なくとも１つのシンボルを、Ｍ個の近隣基地局のおのおのから、１または複数のアンテナで送信するための命令群とを備え、
前記フェーズ・パターンのセットは、前記ＭＳにおいて同一チャネル干渉（ＣＣＩ）のレベルに基づいて選択されるコンピュータ・プログラム製品。
［Ｃ３８］
送信のために使用される各アンテナは、前記選択されたフェーズ・パターンのセットからのフェーズ・パターンを用いて、Ｎ個の異なるフェーズを有するＮ個の周波数トーンでシンボルを送信するＣ３７に記載のコンピュータ・プログラム製品。
［Ｃ３９］
各近隣基地局において、送信のために使用される１または複数のアンテナのすべてに対して同じフェーズ・パターンが適用され、Ｎ＝Ｍである場合、前記ＣＣＩのレベルが、予め定めたしきい値よりも大きいのであれば、前記選択されたフェーズ・パターンのセットからのフェーズ・パターンは、前記Ｍ個の近隣基地局にわたって直交しているＣ３８に記載のコンピュータ・プログラム製品。
［Ｃ４０］
前記Ｍ個の近隣基地局からの基地局において、送信のために使用される各アンテナに、異なるフェーズ・パターンが適用され、前記適用されたフェーズ・パターンは、Ｎが、前記基地局における送信のために使用されるアンテナの数であり、前記ＣＣＩのレベルが、予め定めたしきい値よりも小さい場合に、前記基地局において送信のために使用されるすべてのアンテナにわたって直交しているＣ３８に記載のコンピュータ・プログラム製品。
［Ｃ４１］
Ｎ個の周波数トーンは、Ｎ個の連続した周波数トーンを備えるＣ３７に記載のコンピュータ・プログラム製品。
［Ｃ４２］
生成された１または複数のシンボルが、データ・シンボルであるＣ３７に記載のコンピュータ・プログラム製品。
［Ｃ４３］
生成された１または複数のシンボルが、パイロット・シンボルであるＣ３７に記載のコンピュータ・プログラム製品。
［Ｃ４４］
１または複数のプロセッサによって実行可能な、格納された命令群を有するコンピュータ読取可能媒体を備える、無線通信のためのコンピュータ・プログラム製品であって、
前記命令群は、
１または複数の近隣基地局から送信されたシンボルを、１または複数のアンテナで受信するための命令群と、
干渉を除去するために、および、サービス提供基地局の１または複数のアンテナから送信された１または複数のシンボルを復号するために、前記受信したシンボルを、空間的に処理するための命令群とを備え、
前記少なくとも１つのシンボルは、選択されたフェーズ・パターンのセットからのフェーズ・パターンを用いて、Ｎ個の異なるフェーズを有するＮ個の周波数トーンで、おのおのの基地局の少なくとも１つのアンテナから送信され、
前記フェーズ・パターンのセットは、移動局（ＭＳ）において同一チャネル干渉（ＣＣＩ）のレベルに基づいて選択されるコンピュータ・プログラム製品。
［Ｃ４５］
前記受信したシンボルを空間的に処理するための命令群は、ＣＣＩのレベルが、予め定めたしきい値よりも大きい場合、干渉シンボルを除去するために、および、前記サービス提供基地局の１または複数のアンテナから送信された１または複数のシンボルを復号するために、前記受信したシンボルに、適切なフェーズ・パターンを適用するための命令群を備えるＣ４４に記載のコンピュータ・プログラム製品。
［Ｃ４６］
前記受信したシンボルを空間的に処理するための命令群は、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび線形最小平均平方誤り（ＬＭＭＳＥ）復号を適用するための命令群を備えるＣ４４に記載のコンピュータ・プログラム製品。
［Ｃ４７］
前記受信したシンボルを空間的に処理するための命令群は、ＣＣＩのレベルが、予め定めたしきい値よりも小さい場合、干渉シンボルを除去するために、および、前記サービス提供基地局の１または複数のアンテナから送信された１または複数のシンボルを復号するために、雑音ホワイトニングおよび最小分散無歪み応答（ＭＶＤＲ）復号を適用するための命令群を備えるＣ４４に記載のコンピュータ・プログラム製品。
［Ｃ４８］
Ｎ個の周波数トーンは、Ｎ個の連続した周波数トーンを備えるＣ４４に記載のコンピュータ・プログラム製品。
【図１】
0005280548.tif 000016
【図２】
0005280548.tif 000017
【図３】
0005280548.tif 000018
【図４】
0005280548.tif 000019
【図５】
0005280548.tif 000020
【図５Ａ】
0005280548.tif 000021
【図６】
0005280548.tif 000022
【図７】
0005280548.tif 000023
【図８】
0005280548.tif 000024
【図９】
0005280548.tif 000025
【図１０】
0005280548.tif 000026
【図１１】
0005280548.tif 000027
【図１２】
0005280548.tif 000028
【図１３】
0005280548.tif 000029